(57)【要約】【課題】ヘッドマウントディスプレイ装置の装着部を頭部に装着しているときの映像表示部の円滑な動きを確保する。【解決手段】使用者Ｍの眼Ｅの前に配置される映像表示部３０のフロントアーム２０を使用者Ｍの頭部に装着されるリアアーム１０に設けられた収容部４０に収容するとき、フロントアーム２０の収容部４０への移動によって圧縮された収容部４０内の空気を出入口４１の開口部４１ａから排出させ、フロントアーム２０に付着したり出入口４１近傍に浮遊したりする塵埃や髪の毛等を開口部４１ａから排出される空気によって吹き飛ばし、塵埃や髪の毛等の出入口４１内への侵入を抑制するようにした。【選択図】      図１
2004282194.tif 000002
【特許請求の範囲】
【請求項１】
使用者の頭部に装着される装着手段と、
前記装着手段に移動可能に連結され、前記使用者の眼の前に配置される表示手段と、
前記装着手段と前記表示手段との間に異物が入り込むのを抑制する異物侵入抑制手段と
を備えていることを特徴とするヘッドマウントディスプレイ装置。
【請求項２】
前記表示手段はフロントアームを有し、
前記装着手段は前記フロントアームを収容する収容部を有し、
前記異物侵入抑制手段は、前記フロントアームを前記収容部に収容するとき、前記収容部内の空気の排出を前記収容部の出入口だけで行わせる構造であることを特徴とする請求項１記載のヘッドマウントディスプレイ装置。
【請求項３】
前記異物侵入抑制手段は、前記収容部の出入口の端部に形成されたテーパ部であることを特徴とする請求項２記載のヘッドマウントディスプレイ装置。
【請求項４】
前記表示手段はフロントアームを有し、
前記装着手段は前記フロントアームを収容する収容部を有し、
前記異物侵入抑制手段は、前記収容部の出入口の内面に形成されたのこぎり波状部であることを特徴とする請求項１記載のヘッドマウントディスプレイ装置。
【請求項５】
前記表示手段はフロントアームを有し、
前記装着手段は前記フロントアームを収容する収容部を有し、
前記異物侵入抑制手段は、前記収容部の出入口の端部に設けられたハケ状部材であることを特徴とする請求項１記載のヘッドマウントディスプレイ装置。
【請求項６】
前記フロントアームは、静電気を帯び難い材料で形成されるか又は静電気を帯び難い材料で表面を覆われることを特徴とする請求項２〜５のいずれか１項記載のヘッドマウントディスプレイ装置。
【請求項７】
前記表示手段はフロントアームを有し、
前記装着手段は前記フロントアームを収容する収容部を有し、
前記異物侵入抑制手段は、前記フロントアームを覆う蛇腹状のカバーであることを特徴とする請求項１記載のヘッドマウントディスプレイ装置。
【発明の詳細な説明】
【０００１】
【発明の属する技術分野】
この発明は頭部に装着して映像を見るヘッドマウントディスプレイ装置に関する。
【０００２】
【従来の技術】
従来のヘッドマウントディスプレイ装置として、使用者の頭部に装着されるアームと、このアームに支持され、使用者の一方の眼の前方に配置される映像表示部とを備えるものが知られている。
【０００３】
このヘッドマウントディスプレイ装置のアームを頭部に装着したとき、使用者は映像表示部をアームのガイド軸に沿って左右方向へ移動させることができる。
【０００４】
【特許文献】
特開平２００１−２２８４３５号公報
【０００５】
【発明が解決しようとする課題】
しかし、映像表示部を移動させるとき、塵埃や使用者の髪の毛等が例えばガイド軸と映像表示部との間に侵入し、円滑な表示ユニットの動きを得られなくおそれがある。
【０００６】
この発明はこのような事情に鑑みてなされたもので、その課題はヘッドマウントディスプレイ装置の装着部を頭部に装着しているときの映像表示部の円滑な動きを確保することである。
【０００７】
【課題を解決するための手段】
上記課題を解決するため請求項１記載の発明は、使用者の頭部に装着される装着手段と、前記装着手段に移動可能に連結され、前記使用者の眼の前に配置される表示手段と、前記装着手段と前記表示手段との間に異物が入り込むのを抑制する異物侵入抑制手段とを備えていることを特徴とする。
【０００８】
請求項２記載の発明は、請求項１記載のヘッドマウントディスプレイ装置において、前記表示手段はフロントアームを有し、前記装着手段は前記フロントアームを収容する収容部を有し、前記異物侵入抑制手段は、前記フロントアームを前記収容部に収容するとき、前記収容部内の空気の排出を前記収容部の出入口だけで行わせる構造であることを特徴とする。
【０００９】
請求項３記載の発明は、請求項２記載のヘッドマウントディスプレイ装置において、前記異物侵入抑制手段は、前記収容部の出入口の端部に形成されたテーパ部であることを特徴とする。
【００１０】
請求項４記載の発明は、請求項１記載のヘッドマウントディスプレイ装置において、前記表示手段はフロントアームを有し、前記装着手段は前記フロントアームを収容する収容部を有し、前記異物侵入抑制手段は、前記収容部の出入口の内面に形成されたのこぎり波状部であることを特徴とする。
【００１１】
請求項５記載の発明は、請求項１記載のヘッドマウントディスプレイ装置において、前記表示手段はフロントアームを有し、前記装着手段は前記フロントアームを収容する収容部を有し、前記異物侵入抑制手段は、前記収容部の出入口の端部に設けられたハケ状部材であることを特徴とする。
【００１２】
請求項６記載の発明は、請求項２〜５のいずれか１項記載のヘッドマウントディスプレイ装置において、前記フロントアームは、静電気を帯び難い材料で形成されるか又は静電気を帯び難い材料で表面を覆われることを特徴とする。
【００１３】
請求項７記載の発明は、請求項１記載のヘッドマウントディスプレイ装置において、前記表示手段はフロントアームを有し、前記装着手段は前記フロントアームを収容する収容部を有し、前記異物侵入抑制手段は、前記フロントアームを覆う蛇腹状のカバーであることを特徴とする。
【００１４】
【発明の実施の形態】
以下、この発明の実施の形態を図面に基づいて説明する。
【００１５】
図１はこの発明の第１実施形態に係るヘッドマウントディスプレイ装置の映像表示部が使用位置まで引き出された状態を示す斜視図、図２はその断面図、図３は図２のＩＩＩ−ＩＩＩ線に沿う拡大断面図、図４は図２の部分拡大図である。
【００１６】
このヘッドマウントディスプレイ装置はリアアーム（装着手段）１０と映像表示部（表示手段）３０とを備えている。
【００１７】
リアアーム１０は円弧状である。リアアーム１０は使用者Ｍの頭部に装着され、その両端部が使用者Ｍの側頭部を押圧する。
【００１８】
リアアーム１０の両端部には使用者Ｍの左右の耳に装着されるスピーカ１５，１６が取り付けられている。
【００１９】
映像表示部３０は帯状のフロントアーム２０を備えている。映像表示部３０は使用者Ｍの一方の眼Ｅの前方に配置される。
【００２０】
フロントアーム２０はリアアーム１０の一端部に支持される。フロントアーム２０はリアアーム１０と同様に円弧状である。非使用時、フロントアーム２０はリアアーム１０に設けられた収容部４０に収容される。
【００２１】
なお、フロントアーム２０を静電気を帯び難い材料で形成するか又は静電気を帯び難い材料で表面を覆い、塵埃や髪の毛をフロントアーム２０に付着し難くすることが好ましい。
【００２２】
リアーム１０には、フロントアーム２０と接触する円板４２と、この円板４２の中心に回転軸４３が固定されたモータＭＲとが設けられている。
【００２３】
モータＭＲは図示しない制御部からの指示に基づいて所定方向へ回転し、円板４２を介してフロントアーム２０の出し入れを行う。
【００２４】
なお、制御部としてはタイマやインタフェース等から構成されるマイクロコンピュータを用いることができる。
【００２５】
収容部４０の出入口（異物侵入抑制手段）４１の一端にはフロントアーム２０の断面より若干大きい断面を有する開口部４１ａが形成されている（図４参照）。空気は収容部４０の出入口４１を通じて出入する。開口部４１ａと収容部４０とは溝４１ｂを介して連通している。
【００２６】
モータＭＲを回転させてフロントアーム２０を収容部４０に収容するとき、フロントアーム２０の収容部４０への移動によって圧縮され、正圧となった収容部４０内の空気が出入口４１の開口部４１ａから排出される。
【００２７】
そのため、フロントアーム２０に付着したり出入口４１の開口部４１ａの近傍に浮遊したりする塵埃や髪の毛等が開口部４１ａから排出される空気によって吹き飛ばされ、塵埃や髪の毛等の出入口４１内への侵入が抑制される。
【００２８】
この実施形態によれば、ヘッドマウントディスプレイ装置のリアアーム１０を頭部に装着しているときの映像表示部３０の円滑な動きを確保することができる。
【００２９】
なお、この実施形態では開口部４１ａと収容部４０とを溝４１ｂを介して連通させるようにしたが、溝４１ｂを形成せずに出入口４１の内面とフロントアーム２０の外面との間に形成される空隙を介して開口部４１ａと収容部４０とを連通させるようにしてもよい。
【００３０】
図５はこの発明の第２実施形態に係るヘッドマウントディスプレイ装置の映像表示部が使用位置まで引き出された状態を示す斜視図、図６は図５の部分拡大断面図であり、第１実施形態と共通する部分に同一符号を付してその説明を省略する。
【００３１】
このヘッドマウントディスプレイ装置はリアアーム（装着手段）１１０と映像表示部３０とを備えている。
【００３２】
リアアーム１１０は円弧状である。リアアーム１１０は使用者Ｍの頭部に装着され、その両端部が使用者Ｍの側頭部を押圧する。
【００３３】
リアアーム１１０の両端部には使用者Ｍの左右の耳に装着されるスピーカ１５，１６が取り付けられている。
【００３４】
また、リアアーム１１０にはフロントアーム２０を収容する収容部１４０が設けられている。
【００３５】
収容部１４０の出入口１４１の外部に臨む端部にはテーパ部１４２が形成されている。
【００３６】
モータＭＲを回転させてフロントアーム２０を収容部１４０に収容するとき、テーパ部１４２の断面積は先端に近づくにしたがって次第に小さくなるため、フロントアーム２０に付着したり出入口１４１の近傍に浮遊したりする塵埃や髪の毛等はテーパ部１４２に乗り上がる。
【００３７】
そのため、塵埃や髪の毛等の出入口１４１内への侵入が抑制される。
【００３８】
この実施形態によれば、第１実施形態と同様の効果を奏する。
【００３９】
なお、第１実施形態と同様に出入口１４１の端部に形成されたテーパ部１４２だけから収容部１４０内の空気を排出させるようにすれば、塵埃や髪の毛等の出入口１４１内への侵入をより確実に抑制することができる。
【００４０】
図７はこの発明の第３実施形態に係るヘッドマウントディスプレイ装置の部分拡大断面図であり、第１実施形態と共通する部分に同一符号を付してその説明を省略する。
【００４１】
フロントアーム２０を収容する収容部２４０の出入口２４１の外部に臨む端部の内面には一対ののこぎり波状部２４２が形成されている。
【００４２】
のこぎり波状部２４２の頂上部分が互いに対向し、頂上間の間隔はフロントアーム２０の厚さとほぼ同じである。
【００４３】
モータＭＲを回転させてフロントアーム２０を収容部２４０に収容するとき、出入口２４１の内面とフロントアーム２０の外面との間の空隙に侵入した塵埃や髪の毛等の多くはのこぎり波状部２４２の壁面２４２ａに突き当たり、それ以上侵入しない。
【００４４】
そのため、塵埃や髪の毛等は出入口２４１の端部近傍だけに止まり、塵埃や髪の毛等によってフロントアーム２２０の移動が著しく阻害されることはない。
【００４５】
この実施形態によれば、第１実施形態と同様の効果を奏する。
【００４６】
図８はこの発明の第３実施形態の変形例に係るヘッドマウントディスプレイ装置の部分拡大断面図であり、第１実施形態と共通する部分に同一符号を付してその説明を省略する。
【００４７】
この変形例はフロントアーム２２０の表裏にのこぎり波状部２２１を形成するとともに、リアアーム２６０に設けた収容部２９０の出入口２９１の外部に臨む端部にフロントアーム２２０の表裏を押圧する弾性部材２９２を取り付けた点で第３実施形態と相違する。
【００４８】
モータＭＲを回転させてフロントアーム２２０を収容部２９０に収容するとき、出入口２９１の内面とフロントアーム２２０の外面との間の空隙に侵入した塵埃や髪の毛等は弾性部材２９２によってのこぎり波状部２２１の凹部２２１ａに押し込まれる。
【００４９】
そのため、塵埃や髪の毛等によってフロントアーム２２０の移動が著しく阻害されることはない。
【００５０】
この実施形態によれば、第３実施形態と同様の効果を奏する。
【００５１】
図９はこの発明の第４実施形態に係るヘッドマウントディスプレイ装置の映像表示部が使用位置まで引き出された状態を示す斜視図、図１０は図９の部分拡大断面図であり、第１実施形態と共通する部分に同一符号を付してその説明を省略する。
【００５２】
このヘッドマウントディスプレイ装置はリアアーム（装着手段）３１０と映像表示部３０とを備えている。
【００５３】
リアアーム３１０は円弧状である。リアアーム３１０は使用者Ｍの頭部に装着され、その両端部が使用者Ｍの側頭部を押圧する。
【００５４】
リアアーム３１０の両端部には使用者Ｍの左右の耳に装着されるスピーカ１５，１６が取り付けられている。
【００５５】
また、リアアーム３１０にはフロントアーム２０を収容する収容部３４０が設けられている。
【００５６】
収容部３４０の出入口３４１の外部に臨む端部にはハケ（ハケ状部材）３４２が取り付けられている。ハケ３４２の先端はフロントアーム２０に接触している（図１０参照）。
【００５７】
モータＭＲを回転させてフロントアーム２０を収容部３４０に収容するとき、フロントアーム２０に付着したり出入口３４１の近傍に浮遊したりする塵埃や髪の毛等はハケ３４２によって除去され、塵埃や髪の毛等の出入口３４１内への侵入が抑制される。
【００５８】
この実施形態によれば、第１実施形態と同様の効果を奏する。
【００５９】
図１１はこの発明の第４実施形態の変形例に係るヘッドマウントディスプレイ装置の映像表示部が使用位置まで引き出された状態を示す斜視図、図１２は図１１の部分拡大断面図であり、第４実施形態と共通する部分に同一符号を付してその説明を省略する。
【００６０】
この変形例は収容部３４０の出入口３４１の端部にハケを取り付ける代わりにゴム等の弾性部材で形成されたスカート部（ハケ状部材）３４３を取り付けた点で第４実施形態と相違する。
【００６１】
この変形例によれば、第４実施形態と同様の効果を奏する。
【００６２】
図１３はこの発明の第５実施形態に係るヘッドマウントディスプレイ装置の映像表示部が使用位置まで引き出された状態を示す斜視図であり、第１実施形態と共通する部分に同一符号を付してその説明を省略する。
【００６３】
このヘッドマウントディスプレイ装置はリアアーム（装着手段）４１０と映像表示部（表示手段）３０とを備えている。
【００６４】
リアアーム４１０は円弧状である。リアアーム４１０は使用者Ｍの頭部に装着され、その両端部が使用者Ｍの側頭部を押圧する。
【００６５】
映像表示部３０はフロントアーム２０（図１参照）を備えている。映像表示部３０は使用者Ｍの一方の眼Ｅの前方に配置される。
【００６６】
フロントアーム２０は蛇腹状のカバー（異物侵入抑制手段）４２５で覆われている。蛇腹状のカバー４２５の一端は映像表示部３０に固定され、他端はリアアーム４１０に固定されている。
【００６７】
モータＭＲ（図示せず）を回転させてフロントアーム２０をリアアーム４１０に設けられた収容部（図示せず）に収容するとき、フロントアーム２０は蛇腹状のカバー４２５で覆われ、露出していないため、塵埃や髪の毛等の出入口４１内への侵入が確実に抑制される。
【００６８】
この実施形態によれば、第１実施形態と同様の効果を奏する。
【００６９】
図１４はこの発明の第６実施形態に係るヘッドマウントディスプレイ装置の映像表示部が使用位置まで引き出された状態を示す斜視図、図１５はこのヘッドマウントディスプレイ装置の映像表示部を使用位置から退避させた状態を示す斜視図であり、第１実施形態と共通する部分に同一符号を付してその説明を省略する。
【００７０】
このヘッドマウントディスプレイ装置はアーム（装着手段）５１０と映像表示部（表示手段）５３０とを備えている。
【００７１】
アーム５１０は円弧状である。アーム５１０はリア部５１０ａとフロント部５１０ｂとで構成されている。リア部５１０ａとフロント部５１０ｂとは相対的に伸縮自在である。リア部５１０ａは使用者Ｍの頭部に装着される。
【００７２】
リア部５１０ａの一端部には使用者Ｍの右の耳に装着されるスピーカ１６が取り付けられ、リア部５１０ａとフロント部５１０ｂとの境界部には使用者Ｍの左の耳に装着されるスピーカ１５が取り付けられている。
【００７３】
映像表示部５３０はアーム５１０のフロント部５１０ｂに移動可能に支持されている。映像表示部５３０は使用者Ｍの一方の眼Ｅの前方に配置される。
【００７４】
映像表示部５３０の両端にはハケ（ハケ状部材）５３１，５３２がそれぞれ設けられている。ハケ５３１，５３２の先端はアーム５１０のフロント部５１０ｂに接触している（図１５参照）。
【００７５】
映像表示部５３０を使用位置（図１４参照）から退避させたとき又は退避位置（図１５参照）から使用位置まで引き出したとき、映像表示部５３０の移動によってフロント部５１０ｂに付着した又はフロント部５１０ｂの近傍に浮遊する塵埃や髪の毛はハケ５３１，５３２によって除去され、塵埃や髪の毛等の映像表示部５３０とアーム５１０のフロント部５１０ｂとの間への侵入が抑制される。
【００７６】
この実施形態によれば、第１実施形態と同様の効果を奏する。
【００７７】
なお、この実施形態のスピーカ部１５，１６を音声出力のない耳当て部やレシーバ機能を持つ受信部としてもよい。
【００７８】
【発明の効果】
以上に説明したようにこの発明のヘッドマウントディスプレイ装置によれば、ヘッドマウントディスプレイ装置の装着部を頭部に装着しているときの映像表示部の円滑な動きを確保することができる。
【図面の簡単な説明】
【図１】図１はこの発明の第１実施形態に係るヘッドマウントディスプレイ装置の映像表示部が使用位置まで引き出された状態を示す斜視図である。
【図２】図２はこの発明の第１実施形態に係るヘッドマウントディスプレイ装置の断面図である。
【図３】図３は図２のＩＩＩ−ＩＩＩ線に沿う拡大断面図である。
【図４】図４は図２の部分拡大図である。
【図５】図５はこの発明の第２実施形態に係るヘッドマウントディスプレイ装置の映像表示部が使用位置まで引き出された状態を示す斜視図である。
【図６】図６は図５の部分拡大断面図である。
【図７】図７はこの発明の第３実施形態に係るヘッドマウントディスプレイ装置の部分拡大断面図である。
【図８】図８はこの発明の第３実施形態の変形例に係るヘッドマウントディスプレイ装置の部分拡大断面図である。
【図９】図９はこの発明の第４実施形態に係るヘッドマウントディスプレイ装置の映像表示部が使用位置まで引き出された状態を示す斜視図である。
【図１０】図１０は図９の部分拡大断面図である。
【図１１】図１１はこの発明の第４実施形態の変形例に係るヘッドマウントディスプレイ装置の映像表示部が使用位置まで引き出された状態を示す斜視図である。
【図１２】図１２は図１１の部分拡大断面図である。
【図１３】図１３はこの発明の第５実施形態に係るヘッドマウントディスプレイ装置の映像表示部が使用位置まで引き出された状態を示す斜視図である。
【図１４】図１４はこの発明の第６実施形態に係るヘッドマウントディスプレイ装置の映像表示部が使用位置まで引き出された状態を示す斜視図である。
【図１５】図１５はこのヘッドマウントディスプレイ装置の映像表示部を使用位置から退避させた状態を示す斜視図である。
【符号の説明】
１０，１１０，２１０，３１０，４１０  リアアーム（装着手段）
３０，５３０  映像表示部（表示手段）
２０  フロントアーム
４０，１４０，２４０，３４０  収容部
４１，１４１，２４１，３４１  出入口
１４２  テーパ部
２２１，２４２  のこぎり波状部
３４２，５３１，５３２  ハケ（ハケ状部材）
３４３  スカート部（ハケ状部材）
４２５  蛇腹状のカバー
５１０  アーム（装着手段）
５１０ａ  リア部
５１０ｂ  フロント部
Ｅ  眼
Ｍ  使用者
【図１】
2004282194.tif 000003
【図２】
2004282194.tif 000004
【図３】
2004282194.tif 000005
【図４】
2004282194.tif 000006
【図５】
2004282194.tif 000007
【図６】
2004282194.tif 000008
【図７】
2004282194.tif 000009
【図８】
2004282194.tif 000010
【図９】
2004282194.tif 000011
【図１０】
2004282194.tif 000012
【図１１】
2004282194.tif 000013
【図１２】
2004282194.tif 000014
【図１３】
2004282194.tif 000015
【図１４】
2004282194.tif 000016
【図１５】
2004282194.tif 000017